(57)【要約】【課題】  従来の袋部とカップ上に支えるための支持体とを着脱自在にして支持体を繰り返し使用し袋部側を使い捨てる方式のドリップ抽出バッグは着脱が難しく手数を要した。【解決手段】  本発明は、この様な従来の課題を解決するため着脱状態を確認しやすく見て理解しやすい方式とし確実な着脱を得られる様にした。【選択図】      図１
2006231003.tif 000002
【特許請求の範囲】
【請求項１】
袋部と飲用容器上に袋部を支える支持体とが着脱可能とし支持体部を繰り返し使用し袋部を使い捨てる方式のドリップ抽出バッグに於いて通水濾過性を有する柔軟なシートにより袋体１を構成しこれは上方に口２を有しており、この袋体１の口２部周囲を袋体１の上端側を外方向に折り返して袋体１の外壁面側に被せ折り返し部３としており、この折り返し部３を支持体がとらえる両側部を折り返し部３と外壁面とを一体に取り付けて、取り付け部５を設け折り返し部３が上方にめくり上がらない様にしておりこの両側部に設けた取り付け部５の間の折り返し部３と袋体１の外壁面との透き間をスペース部４としており、これを口２部の左右にそれぞれ設けている袋体１であることを特徴としたドリップ抽出バッグ。
【請求項２】
袋部と飲用容器上に袋部を支える支持体とが着脱可能とし支持体部を繰り返し使用し袋部を使い捨てる方式のドリップ抽出バッグに於いて通水濾過性を有する柔軟なシートにより袋体１を構成しこれは上方に口２を有しており、この袋体１の口２部周囲を袋体１の上端側を外方向に折り返して袋体１の外壁面側に被せ折り返し部３としており、この折り返し部３を支持体がとらえる両側部を折り返し部３と外壁面とを一体に取り付けて、取り付け部５を設け折り返し部３が上方にめくり上がらない様にしておりこの両側部に設けた取り付け部５の間の折り返し部３と袋体１の外壁面との透き間をスペース部４としており、これを口２部の左右にそれぞれ設けている、この左右のスペース部４をとらえ飲用容器上に袋体１を支持する支持体１０は飲用容器の口部を渡たる支持ベース６を袋体１の左右に有し、この左右の支持ベース６の中央部から上方に長く伸び出た支持板７を各有しさらにこの支持板７の先端に上方に伸びた凸部８を設けて構成した支持体１０であり、この凸部８が袋体１の口２部に設けた左右のスペース部４をとらえて飲用容器の口部上に袋体１を支持し、袋体１の左右のスペース部４と左右に配置した支持体１０の凸部８との間により袋体１と支持体１０との着脱を可能にしているドリップ抽出バッグの袋体１の左右に各配置する支持ベース６の中央部から上方に長く伸び出た左右の支持板７の間に袋体１を位置させ袋体１の口２部に設けた左右の各スペース部４内に左右の各支持板７の先端に各設けた凸部８を差し込み袋体１をとらえ飲用容器上に支持する支持体１０の支持板７が上方向に長く伸び出た支持板７とすることで袋体１内にコーヒー粉が入り袋体１の下方部が膨らみ左右の凸部８の間に上下方向からは出し入れしづらいために左右の支持板７を上方向に長くして左右の支持板７の間の両側方に設けた開放部１１側から袋体１を出し入れできるようにし位置させ左右の凸部８に袋体１をセットしやすくしている支持体１０であることを特徴としたドリップ抽出バッグ。
【請求項３】
袋部と飲用容器上に袋部を支える支持体とが着脱可能とし支持体部を繰り返し使用し袋部を使い捨てる方式のドリップ抽出バッグに於いて通水濾過性を有する柔軟なシートにより袋体１を構成しこれは上方に口２を有しており、この袋体１の口２部周囲を袋体１の上端側を外方向に折り返して袋体１の外壁面側に被せ折り返し部３としており、この折り返し部３を支持体がとらえる両側部を折り返し部３と外壁面とを一体に取り付けて、取り付け部５を設け折り返し部３が上方にめくり上がらない様にしておりこの両側部に設けた取り付け部５の間の折り返し部３と袋体１の外壁面との透き間をスペース部４としており、これを口２部の左右にそれぞれ設けている、この左右のスペース部４をとらえ飲用容器上に袋体１を支持する支持体１０は飲用容器の口部を渡たる支持ベース６を袋体１の左右に有し、この左右の支持ベース６の中央部から上方に長く伸び出た支持板７を各有しさらにこの支持板７の先端に上方に伸びた凸部８を設けて構成した支持体１０であり、この凸部８が袋体１の口２部に設けた左右のスペース部４をとらえて飲用容器の口部上に袋体１を支持し、袋体１の左右のスペース部４と左右に配置した支持体１０の凸部８との間により袋体１と支持体１０との着脱を可能にしているドリップ抽出バッグの袋体１の左右に各配置する支持ベース６の中央部から上方に長く伸び出た左右の支持板７の間に袋体１を位置させ袋体１の口２部に設けた左右の各スペース部４内に左右の各支持板７の先端に各設けた凸部８を差し込み袋体１をとらえ飲用容器上に支持するとき支持体１０の部材に弾力性を有した合成樹脂等を使用する事で袋体１の口２部が閉じた状態の時左右の各支持板７の凸部８どうしの間を支持板７の長さと支持体１０全体の弾力性により支持ベース６を互いに内側に湾曲させさらに左右の支持板７どうしを互いに内側に傾けて凸部８の間を狭め平たい状態の口２部に設けた左右のスペース部４をとらえて左右間の狭まった支持板７どうしを元に戻すことで口２を開く事ができるようにした支持体１０と支持板７であることを特徴としたドリップ抽出バッグ。
【発明の詳細な説明】
【技術分野】
【０００１】  本発明は飲用容器の上に置いて使用するレギュラーコーヒー等の使い捨てタイプのドリップ式抽出バッグに関する。
【背景技術】
【０００２】  従来のコーヒーバッグは通水濾過性のシートにより袋を構成し袋内にコーヒー粉を入れ、この袋を防水加工した厚紙等の部材により構成した支持体で飲用容器上に位置させセットして使用するものであり袋部と支持体部を着脱可能にし支持体部を繰り返し使用し使い捨てる袋部を単純化して低コストな商品とするものである。
【特許文献１】特開２００１−３１４３２４
【特許文献２】実案昭６０−２１２３２
【特許文献３】実案平６−２１５２６
【発明の開示】
【発明が解決しようとする課題】
【０００３】  袋部を飲用容器上に位置させるための支持体と袋部とを着脱自在にするために袋部側に穴部を設け支持体がこの穴部をとらえる方式では袋部側の穴部を支持体の引っ掛け部がとらえセットするのに手数を要し又袋内にお湯を入れ重量が加わった時に穴部の破損が生じる問題があった。〔実案平６−２１５２６〕〔実案昭６０−２１２３２〕【０００４】  支持体に袋部を取り付ける時に袋部の上端部側を支持体に挟み込む方式では、その構造方式の複雑さと確実な取り付けにはずれなどの課題があった〔特開２００１−３１４３２４〕
【課題を解決するための手段】
【０００５】  そして本発明は上記目的を達成するために、袋部と飲用容器上に袋部を支える支持体とが着脱可能とし支持体部を繰り返し使用し袋部を使い捨てる方式のドリップ抽出バッグに於いて通水濾過性を有する柔軟なシートにより袋体１を構成しこれは上方に口２を有しており、この袋体１の口２部周囲を袋体１の上端側を外方向に折り返して袋体１の外壁面側に被せ折り返し部３としており、この折り返し部３を支持体がとらえる両側部を折り返し部３と外壁面とを一体に取り付けて、取り付け部５を設け折り返し部３が上方にめくり上がらない様にしておりこの両側部に設けた取り付け部５の間の折り返し部３と袋体１の外壁面との透き間をスペース部４としており、これを口２部の左右にそれぞれ設けている、この左右のスペース部４をとらえ飲用容器上に袋体１を支持する支持体１０は飲用容器の口部を渡たる支持ベース６を袋体１の左右に有し、この左右の支持ベース６の中央部から上方に長く伸び出た支持板７を各有しさらにこの支持板７の先端に上方に伸びた凸部８を設けて構成した支持体１０であり、この凸部８が袋体１の口２部に設けた左右のスペース部４をとらえて飲用容器の口部上に袋体１を支持し、袋体１の左右のスペース部４と左右に配置した支持体１０の凸部８との間により袋体１と支持体１０との着脱を可能にしている。
【発明の効果】
【０００６】  袋体１の口２周囲を外側に折り返した折り返し部３と外壁面と取り付け部５で一体に取り付けて、この折り返し部３の左右のスペース部４を支持体１０の凸部８がとらえるため外から着脱状況が確認しやすく又支持体１０がとらえた折り返し部３は口２部周囲を構成し袋体１を全体的にとらえるため確実にとらえ、さらに袋体１を構成する部材で折り返し部３を設けて支持体１０との着脱部を構成しているため低コストである。
【発明を実施するための最良の形態】
【０００７】  以下、本発明の実施の形態を図１〜図４に基づいて説明する。通水濾過性を有する柔軟なシートにより袋体１を構成し、これは上方に口２を有しており、この袋体１の口２部周囲を袋体１の上端側を外方向に折り返して袋体１の外壁面側に被せ折り返し部３としており、この折り返し部３を支持体がとらえる両側部を折り返し部３と外壁面とを一体に取り付けて、取り付け部５を設け折り返し部３が上方にめくり上がらない様にしておりこの両側部に設けた取り付け部５の間の折り返し部３と袋体１の外壁面との透き間をスペース部４としており、これを口２部の左右にそれぞれ設けている、この左右のスペース部４をとらえ飲用容器上に袋体１を支持する支持体１０は飲用容器の口部を渡たる支持ベース６を袋体１の左右に有し、この左右の支持ベース６の中央部から上方に長く伸び出た支持板７を各有しさらにこの支持板７の先端に上方に伸びた凸部８を設けて構成した支持体１０であり、この凸部８が袋体１の口２部に設けた左右のスペース部４をとらえて飲用容器の口部上に袋体１を支持し、袋体１の左右のスペース部４と左右に配置した支持体１０の凸部８との間により袋体１と支持体１０との着脱を可能にしている。【０００８】  図５に示す様に袋体１の左右に各配置する支持ベース６の中央部から上方に長く伸び出た左右の支持板７の間に袋体１を位置させ袋体１の口２部に設けた左右の各スペース部４内に左右の各支持板７の先端に各設けた凸部８を差し込み袋体１をとらえ飲用容器上に支持するとき支持体１０の部材に弾力性を有した合成樹脂等を使用する事で袋体１の口２部が閉じた状態の時左右の各支持板７の凸部８どうしの間を支持板７の長さと支持体１０全体の弾力性により支持ベース６を互いに内側に湾曲させさらに左右の支持板７どうしを互いに内側に傾けて凸部８の間を狭め平たい状態の口２部に設けた左右のスペース部４をとらえて左右間の狭まった支持板７どうしを元に戻すことで口２を開く事ができ又、袋体１内にコーヒー粉が入り袋体１の下方部が膨らみ左右の凸部８の間に上下方向からは出し入れしづらいために左右の支持板７を上方向に長くして左右の支持板７の間の両側方に設けた開放部１１側から袋体１を出し入れできるようにし位置させ左右の凸部８に袋体１をセットしやすくしている。【０００９】  本発明は以上の構成でありこの袋体１内にコーヒー粉を入れ口２部の左右のスペース部４に左右に配置した各凸部８を差し込みセットして飲用容器上に支持体１０を置き袋体１内にお湯を入れ使用する。
【図面の簡単な説明】
【００１０】
【図１】  本発明の使用状態を示す斜視図
【図２】  本発明の展開斜視図
【図３】  本発明の斜視図で断面図
【図４】  本発明の袋体１の背面方向からの斜視図
【図５】  袋体１をセットするため左右の凸部８の間を狭めた状態の斜視図
【符号の説明】
【００１１】  １．  袋体
２．  口
３．  折り返し部
４．  スペース部
５．  取り付け部
６．  支持ベース
７．  支持板
８．  凸部
９．  飲用容器
１０．支持体
１１．開放部
【図１】
2006231003.tif 000003
【図２】
2006231003.tif 000004
【図３】
2006231003.tif 000005
【図４】
2006231003.tif 000006
【図５】
2006231003.tif 000007